(57)【要約】【課題】水平回転する回転体を備える場合において、水平回転による特有の演出効果を有するとともに、遊技に対する興趣を高めることも可能な遊技機用可変入賞装置及びそれを用いた遊技機を提供する。【解決手段】  台板１０の背面側から前面側に跨る回転体２０を備え、その回転体２０には、遊技球を入賞口１１へ導入するための球導入口２５と、所定の視覚情報Ｖを表示して遊技者に対して報知するための演出表示部とが設けられている。そして、回転体２０は、球導入口２５の位置を回転変更して遊技球の入賞条件（例えば開放状態と規制状態）を変更するとともに、前面側に位置する演出表示部を回転変更して遊技者に対して視覚情報Ｖを報知する。【選択図】図２
2008229181.tif 000002
【特許請求の範囲】
【請求項１】
遊技機の遊技盤に固定される遊技機用可変入賞装置であって、
前記遊技盤上の遊技球を受け入れるための入賞口を前面側に有する台板と、
遊技球を前記入賞口へ導入し入賞を可能とする球導入口と、文字や図形、記号等で表示される所定の視覚情報を表示して遊技者に対して報知するための演出表示部とを有し、前記台板の背面側から前面側に跨るように、上下方向に配置された回転軸線回りで回転可能に取り付けられる回転体と、
前記台板に固定支持され、前記回転体を回転変位させる回転体アクチュエータと、を備え、
前記球導入口が、前記回転体の回転変更に伴って、所定の回転角度範囲において前記球導入口が前面側に位置して遊技球の入賞を可能とする開放状態と残余の回転角度範囲においてその入賞を規制する規制状態とを形成し、
前記演出表示部が、前記回転体の回転変更に伴って、前記台板の前面側において、遊技者に対して前記視覚情報を報知することを特徴とする遊技機用可変入賞装置。
【請求項２】
前記回転体は、上下方向に所定の高さを有し、外壁の全域または一部を前記演出表示部として形成しており、
前記演出表示部が前記台板の前面側に位置して遊技者に対して前記視覚情報を報知する請求項１に記載の遊技機用可変入賞装置。
【請求項３】
前記演出表示部が、遊技機の遊技状態に対応する視覚情報を有し、遊技者に対してその状態に対応する該視覚情報を表示して報知する請求項１又は２に記載の遊技機用可変入賞装置。
【請求項４】
前記演出表示部は、前記開放状態と前記規制状態とにそれぞれ対応する視覚情報を有し、遊技者に対してそれぞれの状態に対応する該視覚情報を表示して報知する請求項１ないし３のいずれか１項に記載の遊技機用可変入賞装置。
【請求項５】
前記回転体には、遊技球の入賞率が相対的に異なる前記球導入口が周方向に所定間隔で複数設けられており、
前記開放状態において、前記回転体アクチュエータの駆動回転によって、前記台板の前面側に位置する球導入口を変更することで該開放状態の態様を変化させて入賞率を変更可能である請求項１ないし４のいずれか１項に記載の遊技機用可変入賞装置。
【請求項６】
前記演出表示部は、前記複数の球導入口毎に異なる視覚情報を有し、遊技者に対して該球導入口に対応する視覚情報を表示して報知する請求項５に記載の遊技機用可変入賞装置。
【請求項７】
前記台板に固定支持され、前記演出表示部が前記台板の前面側に位置したとき、その演出表示部の前方又は後方の少なくとも一方に当該演出表示部の遊技者に対する表示を補助する演出補助部が形成されている請求項１ないし６のいずれか１項に記載の遊技機用可変入賞装置。
【請求項８】
前記回転体は、上下方向に所定の高さを有し、外壁の全域または一部を前記演出表示部として形成しており、
前記台板の前面側に固定支持され、遊技者側から見て少なくとも前記回転体の演出表示部における回転領域の一部を覆う前側装飾部を備え、
前記前側装飾部には、前記台板の前面側に位置する所定の回転角度範囲で当該演出表示部を露出させる窓部が設けられ、該窓部を介して遊技者に対して前記視覚情報が報知される請求項１ないし７のいずれか１項に記載の遊技機用可変入賞装置。
【請求項９】
前記台板に固定支持され、発光素子と、その発光素子が実装された発光基板とを有し、前記演出表示部が前記台板の前面側に位置したときにその演出表示部の後方に配置される発光部を備え、
前記発光素子が前記演出表示部に向けて発光し、その光が前記視覚情報として演出表示部に浮かび上がらせるように、又は、その光が演出表示部に設けられた視覚情報の表示を補助する請求項１ないし８のいずれか１項に記載の遊技機用可変入賞装置。
【請求項１０】
前記発光部は、前記台板の背面側において、上から見て回転体の回転領域の内側で前記回転体の回転変位を干渉しないように配置されている請求項９に記載の遊技機用可変入賞装置。
【請求項１１】
請求項１ないし１０のいずれか１項に記載の遊技機用可変入賞装置が遊技盤に固定配置されたことを特徴とする遊技機。
【発明の詳細な説明】
【技術分野】
【０００１】
本発明は、遊技機用可変入賞装置及び遊技機に関する。
【背景技術】
【０００２】
従来より、球入口（入賞口）を開設した取付基板（台板）に対して、その球入口にパチンコ球（遊技球）を導くための球受部材（回転体）がモータの回転駆動によって水平回転することで、その球受部材が取付基板の前面側を通過するときにパチンコ球を受け入れ可能とする一方で、その球受部材が取付基板の裏面側を通過するとき（前面側にないとき）にはパチンコ球の受け入れが不可能なように構成されている入賞装置が知られている（特許文献１参照）。
【０００３】
【特許文献１】特許第２８１３７３９号公報
【発明の開示】
【発明が解決しようとする課題】
【０００４】
ところで、特許文献１記載の技術は、平面視において扇状をなす球受部材が水平回転することで、取付基板に形成された外側通過部を介して、その一方の外側通過部から出現するとともに、もう一方の外側通過部へ入り込むという一連の動きが繰り返し行なわれている。これによれば、球受部材が取付基板の前面から出没するという簡単な動作が行なわれているだけに過ぎず、例えば箱型の入賞装置における前面扉が開閉するのと何ら変わらない。
【０００５】
したがって、例えば球受部材を平面視において扇状から円形状にすることにより、水平回転するときに、常に球受部材の一部を取付基板の前面側に張り出して位置させることができるため、例えば前面に張り出す部分に遊技者に対して何らかの演出効果を施すことで、入賞装置が遊技者を惹きつける魅力を有したものとなると考えられる。
【０００６】
しかしながら、球受部材が取付基板の前面側から常に張り出して位置するため、常にパチンコ球を受け入れ可能状態となり、入賞球の発生の機会に多分の偶然性が減少し、遊技に対する興趣を高めるには物足りなさを感じるというジレンマがある。
【０００７】
本発明は上記実情に鑑みなされたものであり、水平回転する回転体を備える場合において、水平回転による特有の演出効果を有するとともに、遊技に対する興趣を高めることも可能な遊技機用可変入賞装置及びそれを用いた遊技機を提供することにある。
【課題を解決するための手段及び発明の効果】
【０００８】
上記課題を解決するために、本発明の遊技機用可変入賞装置は、
遊技機の遊技盤に固定される遊技機用可変入賞装置であって、
遊技盤上の遊技球を受け入れるための入賞口を前面側に有する台板と、
遊技球を入賞口へ導入し入賞を可能とする球導入口と、文字や図形、記号等で表示される所定の視覚情報を表示して遊技者に対して報知するための演出表示部とを有し、台板の背面側から前面側に跨るように、上下方向に配置された回転軸線回りで回転可能に取り付けられる回転体と、
台板に固定支持され、回転体を回転変位させる回転体アクチュエータと、を備え、
球導入口が、回転体の回転変更に伴って、所定の回転角度範囲において球導入口が前面側に位置して遊技球の入賞を可能とする開放状態と残余の回転角度範囲においてその入賞を規制する規制状態とを形成し、
演出表示部が、回転体の回転変更に伴って、台板の前面側において、遊技者に対して視覚情報を報知することを特徴とする。
【０００９】
上記本発明によれば、遊技機用可変入賞装置は、台板の背面側から前面側に跨る回転体を備え、その回転体には、遊技球を入賞口へ導入するための球導入口と、所定の視覚情報を表示して遊技者に対して報知するための演出表示部とが設けられている。そして、回転体は、球導入口の位置を回転変更して遊技球の入賞条件（例えば開放状態と規制状態）を変更するとともに、前面側に位置する演出表示部を回転変更して遊技者に対して視覚情報を報知する形態をなしている。これによれば、回転体の回転に伴って、球導入口の位置を回転変更するとともに、遊技者に対して視覚情報を演出表示部で報知することができるため、遊技者に強いインパクトを与えるとともに、これまでにない新たな興趣を喚起することができる。
【００１０】
そして、この回転体は、上下方向に所定の高さを有し、外壁の全域または一部を演出表示部として形成しており、演出表示部が台板の前面側に位置して遊技者に対して視覚情報を報知することができる。これによれば、回転体は、外壁の全域又は一部を演出表示部として形成しているので、水平回転するだけで遊技者に対して報知する視覚情報を簡単に変更することができる。さらに、回転体は所定の高さを有しているので、例えばその周壁（側壁）を演出表示部として形成することで、視覚情報を遊技者に対して最も手前で表示可能となり、合理的に演出表示部を水平回転する回転体に形成することができる。
【００１１】
また、回転体には、遊技球の入賞率が相対的に異なる球導入口が周方向に所定間隔で複数設けられており、開放状態において、回転体アクチュエータの駆動回転によって、台板の前面側に位置する球導入口を変更することで該開放状態の態様を変化させて入賞率を変更可能である。これによれば、回転体には周方向に複数の球導入口が設けられているので、開放状態と規制状態とを回転変更するだけでなく、入賞率の多様化を図ることができる。また、構造的にも簡素化されており、開口態様を円滑に変化するとともに、省スペース化に繋がり小型化となる。
【００１２】
演出表示部の具体的な態様の第１として、遊技機の遊技状態に対応する視覚情報を有し、遊技者に対してその状態に対応する該視覚情報を表示して報知することができる。遊技機の遊技状態として、例えば通常遊技状態や特定遊技状態等を差別化して、それら遊技状態に関連付けて演出表示することができるので、演出効果が高まり、効果的に遊技状態（情報）を遊技者に報知することができる。
【００１３】
また、演出表示部の具体的な態様の第２として、開放状態と規制状態とにそれぞれ対応する視覚情報を有し、遊技者に対してそれぞれの状態に対応する該視覚情報を表示して報知することができる。
【００１４】
演出表示部の具体的な態様の第３として、複数の球導入口毎に異なる視覚情報を有し、遊技者に対して該球導入口に対応する視覚情報を表示して報知することができる。
【００１５】
これらのように、遊技状態の他、例えば、回転体による開放状態や規制状態、或いは、開放状態における複数の態様毎に対応するように差別化して、それらに関連付けて演出表示することができるので、演出効果が一層高まり、効果的に遊技状態（情報）を遊技者に報知することができる。すなわち、回転体の外壁の全域又は一部に演出表示部が形成されるので、多種多様の演出表示が可能である。
【００１６】
遊技機用可変入賞装置には、台板に固定支持され演出表示部が台板の前面側に位置したとき、その演出表示部の前方又は後方の少なくとも一方に当該演出表示部の遊技者に対する表示を補助する演出補助部が形成されている。
【００１７】
回転体は、上下方向に所定の高さを有し、外壁の全域または一部を演出表示部として形成しており、台板の前面側に固定支持され、遊技者側から見て少なくとも回転体の演出表示部における回転領域の一部を覆う前側装飾部を備え、
前側装飾部には、台板の前面側に位置する所定の回転角度範囲で当該演出表示部を露出させる窓部が設けられ、該窓部を介して遊技者に対して視覚情報が報知される構成とすることができる。
【００１８】
これによれば、遊技機用可変入賞装置は、台板の前面側に前側装飾部を備え、その前側装飾部には回転体に設けられた演出表示部の視覚情報を露出させる窓部が形成されている。すなわち、窓部が、演出表示部の前方における演出補助部として機能し、演出表示部の遊技者に対する表示を補助している。したがって、演出表示部が窓部によって取り囲まれて表示されるので、視覚情報が前側装飾部の中で際立ち、効果的に遊技者に報知することができる。
【００１９】
また、遊技機用可変入賞装置は、台板に固定支持され、発光素子と、その発光素子が実装された発光基板とを有し、演出表示部が台板の前面側に位置したときにその演出表示部の後方に配置される発光部を備え、
発光素子が演出表示部に向けて発光し、その光が視覚情報として演出表示部に浮かび上がらせるように、又は、その光が演出表示部に設けられた視覚情報の表示を補助する構成とすることができる。
【００２０】
これによれば、遊技機用可変入賞装置は、回転体に設けられた演出表示部をスクリーンとして後ろから視覚情報を映し出す（浮かび上がらせる）、又は演出表示部を後ろから投光して視覚情報の表示を際立たせる発光部を備えている。すなわち、発光部が、演出表示部の後方における演出補助部として機能し、演出表示部の遊技者に対する表示を補助している。
【００２１】
そして、発光部は、台板の背面側において、上から見て回転体の回転領域の内側で回転体の回転変位を干渉しないように配置されている。これにより、発光部が回転領域の内側に配置されるので、前面側に位置する演出表示部に向かって内側から直接投光（発光）することができる。限られたスペースの中でコンパクトに合理的に組み込むことができる。ひいては、小型化に繋がる。なお、発光部としては、例えば７セグメントやドット表示などの形態で発光することにより、遊技者に対して効果的に情報を報知することができる。
【００２２】
そこで、上記課題を解決するために、本発明の遊技機は、
以上のような遊技機用可変入賞装置が遊技盤に固定配置されたことを特徴とする。
【００２３】
これによって、回転体の水平回転による特有の演出効果を有するとともに、興趣に富む盤面構成を有する遊技機を実現することができる。
【発明を実施するための最良の形態】
【００２４】
（実施例１）
以下、本発明の実施形態を図面を参照しつつ説明する。図１は本発明に係る遊技機用可変入賞装置を備えた遊技機を例示する正面図、図２は大当たり状態における遊技機用可変入賞装置の一例を示す斜視図及び一部破断斜視図、図３は図２の正面図及びＡ−Ａ断面図、図４は通常状態における遊技機用可変入賞装置の一例を示す斜視図及び一部破断斜視図、図５は図４の正面図及びＢ−Ｂ断面図、図６は図４の平面図である。
【００２５】
図１に示すように、パチンコ機１（遊技機）の遊技盤２の盤面２ａ（前面）には、ほぼ左半周が内外２本の発射レール２ｂによって区画され、全体としてほぼ円形の遊技領域２ｃが形成されている。遊技領域２ｃの中央には液晶表示部３が搭載され、液晶表示部３の右下方（遊技領域２ｃの右下部）に入賞装置４（遊技機用可変入賞装置）が配置されている。
【００２６】
入賞装置４は、図２及び図３に示すように、遊技盤２に固定される台板１０と、その台板１０の背面側から前面側に跨るように取り付けられる回転体２０と、回転体２０を回転変位させる電動モータ３０（回転体アクチュエータ）と、台板１０の前面側に固定支持される前側装飾部４０と、台板１０の背面側に固定支持される発光部６０とを備えている。
【００２７】
台板１０は、図３（ａ）に示すように、正面視において円形形状をなし、遊技盤２上の遊技球を前面側から背面側に受け入れるための入賞口１１を有するとともに、その入賞口１１を含む形態で回転体２０が配置される矩形形状をなす開口部１２を形成している（図３（ｂ）参照）。また、台板１０の背面側には、入賞口１１と一体的かつ連続的に接続され、後方へ延出される玉樋１３が形成されている（図２（ｂ）参照）。
【００２８】
玉樋１３の先端部（台板１０背面側）には、近接スイッチ３１やフォトセンサ３２等が取り付けられるハウジング５０が固定されている。近接スイッチ３１は、遊技盤２の遊技球が入賞口１１に入賞したことを検知するための非接触式の検出センサであり、玉樋１３によって案内された遊技球を検出する。フォトセンサ３２は、後述するが回転体２０の回転位置を認識するためのものである。具体的には、フォトセンサ３２は、回転体位置決め部材２３に形成されるスカート状に下方に延出する延出部２３ｂを挟む内外の位置に発光部と受光部とを向かい合わせで配置している。そして、その発光部から受光部への光ビームを遮るようにノッチ２３ｃ（図５（ｂ）参照）を有する延出部２３ｂが軸線Ｏ１回りで回転することで、回転体２０の回転位置を認識する。
【００２９】
図２に戻り、回転体２０は、遊技球を入賞口１１へ導入し入賞を可能とする球導入口２５と、文字や図形、記号等で表示される所定の視覚情報Ｖを表示して遊技者に対して報知するための演出表示部とを有し、上下方向に配置された回転軸線Ｏ１回りで回転可能に取り付けられている。回転体２０は、所定の回転角度範囲において球導入口２５が台板１０の前面側に位置して遊技球の入賞を可能とする開放状態（図２，３参照）と残余（前面側に位置しない）の回転角度範囲においてその入賞を規制する規制状態（図４，５，６参照）とを形成するように球導入口２５の位置を回転変更する。そして、その回転変更に伴って、台板１０の前面側において、演出表示部が遊技者に対して視覚情報Ｖを報知することとなる。なお、後述するが本実施例においては、周壁２０ｄ及び側壁２０ｅが演出表示部として機能する。
【００３０】
また、回転体２０は、球導入口２５を周方向において所定間隔で複数備えており、本実施例においては３箇所、遊技球の入賞率が相対的に異なる球導入口２５を備えている（図６参照）。これにより、台板１０の前面側に位置する球導入口２５を回転変更することで該開放状態の態様（開口面積）を変化させて遊技球の入賞率を容易に変更することができる。
【００３１】
回転体２０は、所定の回転角度範囲で台板１０から前面側に突出する部分において、前から見て山形をなす形態で側方へ傾斜する鍔部２１を形成している（図４（ａ），図５（ａ）参照）。そして、球導入口２５は、鍔部２１が切り欠かれて形成される開口で構成されている。すなわち、切り欠かれた鍔部２１は、球導入口２５を形成する球導入口形成部２１ａ，２１ａとして球導入口２５の両側に構成される。なお、球導入口形成部２１ａ，２１ａ（鍔部２１）においても、球導入口２５を頂部として外側方へ傾斜する（図２参照）。
【００３２】
また、回転体２０は、軸線Ｏ１方向（上下方向）に所定の高さを有し、外壁の全域または一部を演出表示部として形成しており、その演出表示部が台板１０の前面側に位置して遊技者に対して視覚情報を報知することができる。具体的には、図２，６に示すように、上壁２０ｃが平面視において（鍔部２１を含み）円形形状をなし、その上壁２０ｃの外周縁から下方に延設される周壁２０ｄが形成されている。また、その周壁２０ｄの内側には、例えば上から見て径方向に対して直交するように（弦形態をなして）側壁２０ｅが形成されている。側壁２０ｅは、球導入口２５に対応して（周方向に３箇所）形成されている。
【００３３】
また、周壁２０ｄは、台板１０に形成された開口部１２の高さに対応して延設されるとともに、側壁２０ｅは、入賞口１１（玉樋１３）の上端の高さに対応して延設されている。したがって、上壁２０ｃの外周縁（周壁２０ｄ）が開口部１２に近接するように配置され、回転体２０が常に台板１０の背面側から前面側に跨るように形成される。なお、球導入口２５は、球導入口形成部２１ａ，２１ａが向かい合う端部から下方に垂れ下がる垂下部２１ｂ，２１ｂを含み形成されている。また、入賞率が一番高くなる球導入口２５においては、球導入口２５の開口面積が広いため、導入された遊技球を入賞口１１へと誘導する球誘導部２１ｃ，２１ｃが、垂下部２１ｂ，２１ｂの下端に内側に向かって形成されている（図２（ａ）参照）。
【００３４】
ところで、回転体２０は、鍔部２１が周方向に４箇所形成されており、その中の３つが球導入口形成部２１ａ，２１ａを構成して球導入口２５を形成している。そして、球導入口２５に対応して側壁２０ｅが形成されており、上壁２０ｃの鍔部２１に囲まれた部分が正方形状に形成されている。これにより、球導入口２５が台板１０の前面側に位置するときに（大当たりのとき等）、側壁２０ｅが開口部１２を塞ぐ形態となり、遊技球が回転体２０の内側に入り込むことなく、問題なく入賞口１１に遊技球を導くことができる（図２参照）。
【００３５】
また、周壁２０ｄの外周面には、開放状態と規制状態とにそれぞれ対応する視覚情報Ｖが設けられている。具体的には、球導入口２５毎に対応して、その入賞率が相対的に高いものから「大当たり」，「中当たり」，「小当たり」、そして球導入口２５が形成されていない位置には「はずれ」等の視覚情報Ｖが形成されている。なお、この視覚情報Ｖは、各情報を記したシールを所定場所に貼付することで簡単に形成することができる。また、周壁２０ｄの所定場所に直接印刷を施してもよく、彫ってもよい。
【００３６】
ここで、周壁２０ｄは、周方向において環状に連続するように形成されており、球導入口２５（側壁２０ｅ）に対応する部分が切り欠かれて形成されている。そして、視覚情報Ｖは、この周壁２０ｄにおける下側の環状領域２９に配置されている（図３（ｂ）参照）。これにより、回転体２０を軸線Ｏ１回りに回転することで、後述する前側装飾部４０に設けられる第２窓部４２ｂから全ての視覚情報Ｖを表示することができる。ひいては、遊技者に対して様々な視覚情報Ｖを表示して報知することができる。
【００３７】
なお、回転体２０は、図３（ｂ）に示すように、自身に形成された支軸挿入穴２０ｂと、回転体２０と一体的に回転する回転体位置決め部材２３に形成された支軸挿入穴２３ａとに支軸２２が挿入されて支持されている（または、電動モータ３０の出力軸３０ａを延長して挿入してもよい）。すなわち、回転体２０及び回転体位置決め部材２３は、支軸２２の回転軸線Ｏ１回りに回転可能に支持されている。このとき、支軸２２は、下端が回転体位置決め部材２３を介してハウジング５０に保持され、上端が電動モータ３０の出力軸３０ａに一体的に連結されている。
【００３８】
したがって、電動モータ３０の出力軸３０ａが回転することにより回転体位置決め部材２３及び回転体２０が回転変位する。なお、回転体２０の回転及び回転停止の位置決めは回転体位置決め部材２３の延出部２３ｂを介してフォトセンサ３２によって行なわれる。また、電動モータ３０は、モータ保持部５１によって台板１０に固定支持されている。
【００３９】
なお、回転体の径の大きさや、回転軸線Ｏ１の台板からの離間距離などを変更し、鍔部２１を５，６箇所と増やすことができる。また球導入口２５の個数を２箇所や、４箇所等のように変更してもよい。これにより、遊技者に対して興趣を高めることができる。
【００４０】
続いて、前側装飾部４０は、遊技者側から見て少なくとも回転体２０の演出表示部（周壁２０ｄ及び側壁２０ｅ）における回転領域の一部を覆うように台板１０に固定支持されている。前側装飾部４０は、回転体２０と前面ガラス（図示せず）の間を塞ぐために上端に位置する閉鎖部４１と、台板１０に平行な前飾り部４２と、球導入口２５から導入された遊技球を入賞口１１に誘導するための球受け部４３とが一体的に形成されている。
【００４１】
そして、前飾り部４２には、台板１０の前面側に位置する所定の回転角度範囲で演出表示部を露出させる窓部が設けられている。すなわち、上方に位置する第１窓部４２ａと、その下方に位置する第２窓部４２ｂが形成されている。これらの第１及び第２窓部４２ａ，４２ｂを介して遊技者に対して視覚情報Ｖが報知される。なお、第１及び第２窓部４２ａ，４２ｂは、単に前飾り部４２が貫通されて開口として形成されているが、これに限らず、視覚情報Ｖを確認できるように、窓部となる部分を透明や半透明などの透視性を有する形態で形成してもよい。
【００４２】
これにより、第２窓部４２ｂが前から見て入賞口１１と重なるため、回転体２０が回転することにより、第２窓部４２ｂに視覚情報Ｖが現れて表示されることで、遊技者に対してより明確に報知することができる。
【００４３】
なお、閉鎖部４１は、上から見て回転体２０の回転領域との干渉を回避するとともに前方に突出する形態をなしている。すなわち、閉鎖部４１は、回転体２０の回転領域の一部を外側から取り囲むように、台板１０側から円弧状に切り欠かれて形成されている。また、閉鎖部４１が、前から見て第１窓部４２ａの上端を頂部として両側に遊技球が遠ざかる側方に向かって転がるように傾斜する山形をなす形態で形成されている。
【００４４】
発光部６０は、発光素子６１（発光ダイオード）と、その発光素子６１が実装された発光基板６２とを備え、台板１０の背面側において、上から見て回転体２０の回転領域の内側で回転体２０の回転変位を干渉しないように配置されている。すなわち、周壁部２０ｄ及び側壁部２０ｅの回転変位を干渉しないように配置されている。そして、発光部６０は、発光素子６１が前方に向かって発光する向きで設置されている。
【００４５】
これにより、発光素子６１が演出表示部に向けて発光し、その光が視覚情報として演出表示部に浮かび上がらせるように、又は、その光が演出表示部に設けられた視覚情報の表示を補助する役目を担う。すなわち、図２，３に示すように、台板１０の前方に球導入口２５が位置する場合（開放状態）には、側壁２０ｅ及び第１窓部４２ａを介して球導入口２５内部で演出表示が可能となる。一方、図４，５に示すように、台板１０の前方に球導入口２５が位置しない場合（規制状態）には、周壁２０ｄ及び第１窓部４２ａを介して演出表示が可能となる。
【００４６】
演出補助としては、例えば大当たりの場合には虹色に発光し、中当たりの場合には赤色に発光し、又は小当たりの場合には青色に発光することで、各状態をより強調して演出することができる。また、発光部として７セグメント表示やドット表示とすることもできる。例えば、７セグメント表示をする場合には、演出表示部（側壁２０ｅ）に「７，７，７」と映し出して大当たり状態を演出し、「５，５，５」と映し出して中当たり状態を演出し、「３，３，３」と映し出して小当たり状態を演出してもよい。また、ドット表示をする場合には、演出表示部（周壁２０ｄ，側壁２０ｅ）にそれぞれの状態を文字表示して演出してもよい。
【００４７】
以上のように、回転体２０に形成される周壁２０ｄや側壁２０ｅによって構成される演出表示部が、台板１０の前面側に位置したときに、前方で前側装飾部４０の第１及び第２窓部４２ａ，４２ｂによって演出補助されるとともに、後方では発光部６０からの発光（投光）により演出補助されることにより、視覚情報Ｖの表示が一層強められ、遊技者を惹きつけることができる魅力ある入賞装置４となる。さらには、回転体２０に複数の球導入口２５を設けることで、入賞率の多様化を図り、遊技に対する興趣を十分に高めたものとすることができる。
【００４８】
次に、このような構成を有する入賞装置４の作動を説明する。入賞装置４は、所定条件（抽選に当選したとき等）となったときに、電動モータ３０が通電状態となり回転体２０を回転変位して球導入口２５を前面側に配置して入賞口１１開放させる。そして、所定条件（特定遊技状態が終了したとき）となったときに、電動モータ３０が通電状態となり、回転体２０を回転変位して球導入口２５を背面側に配置して入賞口１１を規制させる。
【００４９】
まず、入賞装置４は、通常時（通常遊技時）には、図４及び図５に示すように、遊技球の入賞を規制する規制状態を形成するように、球導入口２５が形成されていない鍔部２１が前面側に位置して回転体２０が回転停止している。すなわち、球導入口２５が台板１０の背面側に位置して回転体２０が回転停止している。そして、前側装飾部４０の第２窓部４２ｂには、視覚情報Ｖとして「はずれ」という文字が現れている。このとき、入賞口１１の上方では鍔部２１が閉鎖部４１と隣接して配置されているため（前側装飾部４０と鍔部２１によって覆われているため）、遊技球側方へ流れ、入賞が不可能な状態となっている。
【００５０】
そして、この通常状態から、電動モータ３０が通電状態になると、回転体位置決め部材２３とともに回転体２０が、例えば反時計回りに回転される（図６参照）。これによって、図２及び図３に示されるように、例えば、遊技球の入賞率が相対的に高い球導入口２５が前面側に位置するまで回転変位する。そして、第２窓部４２ｂには、視覚情報Ｖとして「大当たり」という文字が現れている。これにより、入賞装置４は、球導入口２５から遊技球を導入可能な大当たり状態として利用することができる。そして、このとき発光素子６１が対応する開放態様で発光し（例えば、虹色）、大当たり状態を演出する。
【００５１】
また、所定条件（抽選の結果）によっては、通常状態から、回転体２０を時計回り（逆回転；図６参照）に回転することもできる。これによって、遊技球の入賞率が相対的に低い球導入口２５が前面側に位置するまで回転変位する。その場合には、第２窓部４２ｂには、視覚情報Ｖとして「小当たり」という文字が現れることになる。これにより、球導入口２５から遊技球が導入可能な小当たり状態として利用することができる。そして、さらに、回転体２０を時計回り（逆回転）に回転されると、球導入口２５が前面側に位置し、第２窓部４２ｂには視覚情報Ｖとして「中当たり」の文字が現れ、中当たり状態として利用することができる。そして、発光素子６１が各開放状態の態様毎に異なる発光色で発光し、各状態を演出する。
【００５２】
（実施例２）
次に、本発明の遊技機用可変入賞装置に係る別の実施形態を、図面を参照しつつ説明する。なお、実施例２における以下の説明では、上述した実施例１の実施形態と異なる部分について主に述べ、重複する部分については同番号を付して説明を省略または簡略化する。図７及び図８は遊技機用可変入賞装置の別の例を示す斜視図ある。
【００５３】
図７及び図８に示すように、別の実施形態に係る入賞装置４Ａについて、回転体２００には、周方向において１箇所にだけ遊技球を入賞口１１へ導入し入賞を可能とする球導入口２５が設けられている。すなわち、球導入口２５が形成されていない鍔部２１が３箇所形成されている。これにより、周壁２０ｄが周方向に幅広く形成されている。また、回転体２００は、遊技機１の遊技状態に対応する視覚情報Ｗを有している。
【００５４】
具体的には、周壁２０ｄの外周面には、球導入口２５が形成されていない位置（規制状態となる位置）に、遊技機１の遊技状態を表す「確変中」，「時短中」，「通常」等の文字が視覚情報Ｗとして形成されている。そして、球導入口２５に対応して、「大当たり」の文字が視覚情報Ｗとして形成されている。これにより、規制状態の中で回転体２００が回転することで、遊技状態における様々な態様に対応する演出表示を遊技者に対して報知することができる。さらに、発光部（図示せず）の発光態様を組み合わせることで、演出の多様化を図ることができ、興趣に富む入賞装置となる。
【００５５】
（変形例）
図９は変形例に係る遊技機用可変入賞装置の一例を示す正面図である。図９に示すように、変形例に係る入賞装置４Ｂは、例えば目，鼻，口等を有する顔を表す形態で形成された前飾り部４２０を含む前側装飾部４０を備えている。
【００５６】
この前飾り部４２０には、顔を構成する目として第２窓部４２ｂが２つ形成されている。そして、図示されない回転体の周壁の外周面には、異なる目の表情（喜，怒，哀，楽）をなす図形の視覚情報Ｘが形成されている。これにより、回転体が回転変位して各視覚情報Ｘを第２窓部４２ｂに配置することで、例えば、顔の表情が喜顔（図９（ａ）参照）の時には大当たり状態として、怒顔（図９（ｂ）参照）の時には小当たり状態として、哀顔（図９（ｃ）参照）の時には中当たり状態として、楽顔（図９（ｄ）参照）の時には通常状態として利用することができる。そして、図９（ａ）の仮想線で示すように、第２窓部４２ｂ（目）に対応して発光素子６１が配置されており、顔の各表情に対応して異なる発光色で発光させることで、インパクトある演出を施すことができる。
【００５７】
なお、本発明において、上記実施例に限定されるものではなく、特許請求の範囲の趣旨を逸脱しない限りにおいて、目的、用途に応じて当業者の知識に基づく種々の変更が可能である。
【図面の簡単な説明】
【００５８】
【図１】本発明に係る遊技機用可変入賞装置を備えた遊技機を例示する正面図。
【図２】大当たり状態における遊技機用可変入賞装置の一例を示す斜視図及び一部破断斜視図。
【図３】図２の正面図及びＡ−Ａ断面図。
【図４】通常状態における遊技機用可変入賞装置の一例を示す斜視図及び一部破断斜視図。
【図５】図４の正面図及びＢ−Ｂ断面図。
【図６】図４の平面図。
【図７】遊技機用可変入賞装置の別の例を示す斜視図。
【図８】遊技機用可変入賞装置の別の例を示す斜視図。
【図９】変形例に係る遊技機用可変入賞装置の一例を示す正面図。
【符号の説明】
【００５９】
１    パチンコ機（遊技機）
２    遊技盤
２ａ  盤面
４，４Ａ，４Ｂ  入賞装置（遊技機用可変入賞装置）
１０  台板
１１  入賞口
１２  開口部
１３  玉樋
２０，２００  回転体
２０ｂ  支軸挿入穴
２０ｃ  上壁
２０ｄ  周壁（演出表示部）
２０ｅ  側壁（演出表示部）
２１  鍔部
２２  支軸
２３  回転体位置決め部材
２３ｂ  延出部
２５  球導入口
３０  モータ（回転体アクチュエータ）
３０ａ  出力軸
３１  近接スイッチ
３２  フォトセンサ
４０  前側装飾部
４１  閉鎖部
４２，４２０  前飾り部
４２ａ  第１窓部（窓部）
４２ｂ  第２窓部（窓部）
４３  球受け部
５０  ハウジング
５１  モータ保持部
６０  発光部
６１  発光素子
６２  発光基板
Ｖ，Ｗ  視覚情報
【図１】
2008229181.tif 000003
【図２】
2008229181.tif 000004
【図３】
2008229181.tif 000005
【図４】
2008229181.tif 000006
【図５】
2008229181.tif 000007
【図６】
2008229181.tif 000008
【図７】
2008229181.tif 000009
【図８】
2008229181.tif 000010
【図９】
2008229181.tif 000011